(57)【要約】【課題】各個人に対する通行可能な区域または時間帯の少なくとも一方の設定変更を間違いなく容易に行うことができる作業性の優れた入退室管理システムを提供する。【解決手段】入退室管理システムは、複数の人それぞれに対して通行可能な区域または時間帯の少なくとも一方が予め設定されている通行可否設定テーブルを上記人に割り当てられている個人識別情報により検索することにより通行を管理する入退室管理システムにおいて、上記通行可能な区域または時間帯の設定に用いる設定端末に備えられた画面上に図形として表示されている上記区域または上記時間帯を選択することにより上記通行可否設定テーブルに上記通行可能な区域または時間帯を設定する。【選択図】図１０
2007011718.tif 000002
【特許請求の範囲】
【請求項１】
複数の人それぞれに対して通行可能な区域または時間帯の少なくとも一方が予め設定されている通行可否設定テーブルを上記人に割り当てられている個人識別情報により検索することにより通行を管理する入退室管理システムにおいて、
上記通行可能な区域または時間帯の設定に用いる設定端末に備えられた画面上に図形として表示されている上記区域または上記時間帯を選択することにより上記通行可否設定テーブルに上記通行可能な区域または時間帯を設定することを特徴とする入退室管理システム。
【請求項２】
上記通行可否設定テーブルでは、
上記画面上に表示されている図形を選択することにより選択された少なくとも１つの上記通行可能な区域を含み、通行グループ番号が付けられた通行グループ単位で上記通行可能な区域が設定されていることを特徴とする請求項１に記載する入退室管理システム。
【請求項３】
上記通行可否設定テーブルでは、
上記画面上に表示されている図形を選択することにより選択された少なくとも１つの上記通行可能な時間帯を含み、通行時間帯グループ番号が付けられた通行時間帯グループ単位で上記通行可能な時間帯が設定されていることを特徴とする請求項１または２に記載する入退室管理システム。
【請求項４】
上記通行可能な区域または時間帯の設定に用いる設定端末に備えられた画面上に、個人識別情報が入力されるボックスが表示され、
上記画面上に表示されている図形を選択することにより設定された上記区域または時間帯の少なくとも一方が上記ボックスに入力された個人識別情報が割り当てられている人に対応して上記通行可否設定テーブルに設定されていることを特徴とする請求項１乃至３のいずれか一項に記載する入退室管理システム。
【請求項５】
上記区域を表す図形は、セキュリティレベルの違いにより色分けされていることを特徴とする請求項１乃至４のいずれか一項に記載する入退室管理システム。
【請求項６】
上記区域または上記時間帯を表す図形は、上記ボックスに個人識別情報が入力されているとき、上記通行可否設定テーブルに設定されている当該個人識別情報に係わる上記通行可能な区域または時間帯に係わる部分の色彩、線種または模様が残りの部分と異なっていることを特徴とする請求項４または５に記載する入退室管理システム。
【発明の詳細な説明】
【技術分野】
【０００１】
この発明は、人の入退室を管理する入退室管理システムに関するものである。
【背景技術】
【０００２】
従来の入退室管理システムは、各個人に対する通行可能な区域を組み合わせた区域グループの設定された通行可否設定テーブルおよび該通行可否設定テーブルに関連して通行の履歴や警報の履歴を収集するための設定画面を有する設定端末と、この設定端末にネットワークを介して接続され、通行可否設定テーブルの内容を記憶して、記憶内容に基づいて個人認証を行う個人識別コントローラと、個人識別コントローラに接続され、個人を特定するための個人特定手段と、個人識別コントローラに接続された電気錠とを備え、設定端末は、通行可否設定テーブルに設定される区域グループを各個人毎に通行可能な区域を任意に組み合わせて設定し、個人識別コントローラは、記憶されている通行可否設定テーブルの内容と個人特定手段からの特定情報の照合の結果に基づいて電気錠を制御して通行を管理する（例えば、特許文献１参照）。
【０００３】
【特許文献１】特開２００４−１３４８４号公報
【発明の開示】
【発明が解決しようとする課題】
【０００４】
しかし、設定者が設定端末の画面よりカード番号と通行可能な区域を識別するための区域番号を入力することにより通行可否設定テーブルの登録を行っているが、広域な区域の入退室管理システムを構築するとなると、通行可能な区域や時間帯が複雑にからみあうので、登録が非常に大変なだけではなく、登録ミスが多発するという問題がある。
また、セキュリティレベルを考慮して登録しようとすると、さらに複雑な作業内容になるという問題がある。
【０００５】
この発明の目的は、各個人に対する通行可能な区域または時間帯の少なくとも一方の設定変更を間違いなく容易に行うことができる作業性の優れた入退室管理システムを提供することである。
【課題を解決するための手段】
【０００６】
この発明に係わる入退室管理システムは、複数の人それぞれに対して通行可能な区域または時間帯の少なくとも一方が予め設定されている通行可否設定テーブルを上記人に割り当てられている個人識別情報により検索することにより通行を管理する入退室管理システムにおいて、上記通行可能な区域または時間帯の設定に用いる設定端末に備えられた画面上に図形として表示されている上記区域または上記時間帯を選択することにより上記通行可否設定テーブルに上記通行可能な区域または時間帯を設定する。
【発明の効果】
【０００７】
この発明に係わる入退室管理システムの効果は、通行可否設定テーブルに通行可能な区域または時間帯を登録するとき、対象の区域または時間帯が図形として表示されている画面を見ながら行えるので、間違いなく短時間で登録することができる。
【発明を実施するための最良の形態】
【０００８】
実施の形態１．
図１は、この発明の実施の形態１に係わる入退室管理システムが備えられたビルの構成図である。図２は、実施の形態１に係わる入退室管理装置の機能ブロック図である。図３は、実施の形態１に係わる個人識別制御装置の機能ブロック図である。図４は、実施の形態１に係わる個人識別制御装置の斜視図である。図５は、実施の形態１に係わる区域テーブルのデータ構造を示す図である。図６は、実施の形態１に係わる通行グループテーブルのデータ構造を示す図である。図７は、実施の形態１に係わる通行可否設定テーブルのデータ構造を示す図である。図８は、実施の形態１に係わる初期設定画面である。図９は、実施の形態１に係わる通行グループ設定画面である。図１０は、実施の形態１に係わる通行可否設定画面である。
【０００９】
この発明の実施の形態１に係わる入退室管理システム１は、階床数がＮであるビル２に備えられ、ビル２内を通行する人を管理する。そして、各階床は業務内容などに基づき区域３に区画されている。なお、以下の説明では、区域３への入室について説明するが、退室についても同様であるので、説明は省略する。
区域３への入室は、入口に備えられた扉４だけから可能になっている。各扉４には、電気錠５が設けられ、電気錠５が解錠されないと扉４は開けられないようになっている。各区域３には、区域３の記号（１Ａ〜ＮＢ）とセキュリティレベルが決められている。この実施の形態１においては３つのセキュリティレベルに分けられており、入口階が含まれるフリー区域、通常の執務が行われる区域が含まれる通常区域、特別の人しか通行できない重要区域の３つである。
【００１０】
通行する人には、予め個人識別情報としてのＩＤ番号が割り当てられ、そのＩＤ番号が記憶されているＩＤカードを通行する人が所持している。なお、個人識別情報としてＩＤ番号を例に挙げて以下説明するが、指紋、虹彩、静脈パターン、音声などバイオメトリックス情報を用いてもよい。
【００１１】
実施の形態１に係わる入退室管理システム１は、図１に示すように、通行可否設定テーブル１６に記憶されている内容に基づいて個人認証を行うとともに通行グループおよび通行可否の設定を行うための設定画面を備え、例えばパソコンやワークステーションで実現可能な入退室管理装置６、入退室管理装置６が接続された通信回線７、通信回線７に接続され、個人識別情報を収集して入退室管理装置６に送るとともに入退室管理装置６からの指令に基づき電気錠５を制御する個人識別制御装置８、扉４を旋解錠する電気錠５を備える。
【００１２】
入退室管理装置６は、図２に示すように、個人識別制御装置８から収集されて送られてきた個人識別情報とその個人識別情報を送ってきた個人識別制御装置８の装置識別情報とから通行グループテーブル１５および通行可否設定テーブル１６に記憶されている内容を検索してその個人識別制御装置８が制御している扉４に設けられている電気錠５の解錠の可否を判断し、その個人識別制御装置８に指令を発する通行可否判断手段１１、通行グループおよび通行可否の設定を行うための設定画面を生成するとともに入力された内容を通行グループテーブル１５や通行可否設定テーブル１６に記憶する設定制御手段１２、管理対象のビル２のフロアレイアウト図１３、区域３のセキュリティレベルが記憶されている区域テーブル１４、通行グループテーブル１５および通行可否設定テーブル１６が格納されているデータベース１７を有している。
入退室管理装置６には、画面を有する図示しないディスプレイ、文字、数字を入力するための図示しないキーボードおよびポインティングデバイスとしてのマウスが備えられている。
【００１３】
個人識別制御装置８は、それに接続されている電気錠５を旋解錠することができる。そして、各個人識別制御装置８には、装置識別情報としての装置識別番号が割り当てられている。
個人識別制御装置８は、図３に示すように、各個人に割り当てられているＩＤ番号が記録されている図示しないＩＤカードからＩＤ番号を読み取るカードリーダ２１、読み取ったＩＤ番号と装置識別番号とを一緒にして入退室管理装置６に送信する送信部２２、入退室管理装置６から送られてくる指令を受信する受信部２３、解錠可・不可指令に基づいて接続されている電気錠５を旋解錠する電気錠制御部２４、装置識別番号が記憶されている記憶部２５、電気錠５の旋解錠の可否を表示する表示灯２６を有している。個人識別制御装置８の正面パネルには、図４に示すように、カードリーダ２１のリーダヘッド２７と解錠が許可されたとき点灯するＯＫランプ２８と解錠が不許可になったときに点灯するＮＧランプ２９からなる表示灯２６が配置されている。
【００１４】
次に、通行グループおよび通行可否の設定に関して説明する。
データベース１７には、管理対象のビル２に係わる情報としてのビル２内の区域３のフロアレイアウト図１３およびその区域３のセキュリティレベルが記憶されている図５に示すような区域テーブル１４が格納されている。また、データベース１７には、各通行グループとしてまとめられた通行可能区域が記憶されている図６に示すような通行グループテーブル１５が格納されている。また、登録される人の氏名、ＩＤ番号および通行グループが記憶される図７に示すような通行可否設定テーブル１６が格納されている。
【００１５】
設定制御手段１２は、初期選択画面、通行グループ設定画面および通行可否設定画面からなる３つの設定用画面を創成する画像データを有している。
初期選択画面には、図８に示すように、通行グループ設定アイコン３１と通行可否設定アイコン３２が表示されている。
通行グループ設定アイコン３１にマウスにより重ね合わせてからマウスの左釦をクリックすると、画面に通行グループ設定画面が表示される。また、通行可否設定アイコン３２にカーソルをマウスにより重ね合わせてからマウスの左釦をクリックすると、画面に通行可否設定画面が表示される。
【００１６】
通行グループ設定画面には、区域３のフロアレイアウト図１３およびセキュリティレベルから創成されたビル２の透視図が図９に示すように表示されている。区域３は、実際の形状に類似する形状を囲む外形線で表されている。その外形線の内側には区域３の記号３３が表示されている。
また、通行グループ設定画面には、通行グループの記号を入力するコンボボックス３４および設定が完了したときに選択する完了釦アイコン３５が表示されている。
コンボボックス３４の右端の釦アイコン３６にカーソルを合わせると、現在設定されている通行グループの記号がグループ選択リストとして表示される。
【００１７】
このグループ選択リストの１つを選択すると、通行可能区域の外形線が点線から実線に変わる。また、コンボボックス３４に新たな通行グループの記号を入力したときは、点線のままとなっている。
そして、マウスによりカーソルを選択する区域３の外形線または記号３３に合わせてクリックすると、その区域３の外形線が点線であった場合実線に、実線であった場合点線に変わる。例えば、通行グループＧ０１を選択すると、図９に示すように、記号１Ａ、２Ａ、２Ｂの区域の外形線が実線に変わる。この操作を対象とする区域３すべてに亘って行い、完了したら完了釦アイコン３５にカーソルを合わせてクリックして通行グループの設定を完了し、通行グループ設定画面から初期選択画面に戻る。このとき、設定したデータは通行グループテーブル１５に記憶される。
【００１８】
初期選択画面の通行可否設定アイコン３２にマウスを用いてカーソルを合わせてマウスの左釦をクリックすると、画面は切り替わって通行可否設定画面が表示される。
通行可否設定画面には、区域３のフロアレイアウト図１３およびセキュリティレベルから創成されたビルの透視図が図１０に示すように表示されている。区域３は、実際の形状に類似する形状を囲む外形線で表されている。その外形線の内側には区域３の記号３３が表示されている。また、外形線の表示色は、区域３のセキュリティレベルにより異なっており、フリー区域は緑色、通常区域は黄色、重要区域は赤色に色分けされている。
また、通行可否設定画面には、登録する人の氏名、割り当てられているＩＤ番号を入力するコンボボックス３７と設定が完了したとき選択する完了釦アイコン３８が表示されている。
また、通行可否設定画面には、選択された区域３を含む通行グループの記号が表示されるテキストボックス３９とその横に確認釦アイコン４０が表示されている。コンボボックス３９の右端の釦アイコン４１にカーソルを合わせると、現在設定されている人のＩＤ番号が人選択リストとして表示される。
【００１９】
新たに登録する氏名とＩＤ番号とをそれぞれのコンボボックス３７に入力するとすべての区域３の外形線は点線となる。そして、設定者がある区域３の外形線または記号３３にカーソルを合わせてクリックすると、外形線が点線から実線に変えられるとともにその区域３を含む通行グループが通行グループテーブル１５を検索することにより求められ、それが通行可否設定画面上のテキストボックス３９に表示される。設定者は、その通行グループの中から必要なものを選んで確認釦アイコン４０をクリックすると、その通行グループに含まれる通行可能区域の外形線が実線に変わる。
【００２０】
また、現時点で既に登録されている人の通行可能区域を見直すときに、コンボボックス３７の右端の釦アイコン４１にカーソルを合わせると現時点で登録されている人の人選択リストが表示され、人選択リストの１人が選択されるとその人が通行可能な通行可能区域の外形線が点線から実線に変わる。また同時に、登録されている通行グループが表示される。
ここで、追加する区域３または取り消す区域３の外形線または記号３３にカーソルを合わせてクリックすると、その区域３の外形線が点線であった場合実線に、実線であった場合点線に変えられる。
そして、選択された区域３で通行グループテーブル１５を検索して通行グループを見つけて、通行可否設定画面に表示する。
【００２１】
それから、設定者は、通行可否設定画面に表示されている通行可能区域を確認して、完了アイコン３８にカーソルを合わせてマウスの左釦をクリックする。
このとき、設定制御手段１２は、通行可否設定テーブル１６に氏名、ＩＤ記号、選択された通行グループの記号を記憶する。
【００２２】
個人の区域３への入室の手順は一般的であるので、簡単に説明する。
個人がある区域３に入室しようとするとき、その区域３の入口付近に設置されている個人識別制御装置８のカードリーダ２１のリーダヘッド２７にＩＤカードを通過させて当人のＩＤ番号を読み込ませる。
個人識別制御装置８は、そのＩＤ番号と装置識別番号とを一緒にして入退室管理装置６に送る。
入退室管理装置６は、受信した装置識別番号から区域３を特定し、その区域３を用いて通行グループテーブル１５を検索して該当する通行グループを求める。そして、通行グループとＩＤ番号とを用いて通行可否設定テーブル１６を検索する。そのＩＤ番号が通行可否設定テーブル１６に記憶されていないときは解錠不可指令を発する。また、そのＩＤ番号が記憶されているがその通行グループが記憶されていないときも解錠不可指令を発する。逆に、そのＩＤ番号とその通行グループとが記憶されているときには解錠可指令を発する。
個人識別制御装置８は、解錠可指令を受信したとき接続されている電気錠５を解錠するとともに表示灯２６のＯＫランプ２８を点灯する。このようにして入室しようとする区域３の入口に設けられた扉４の電気錠５が解錠され、入室することができる。
また、個人識別制御装置８は、解錠不可指令を受信したとき表示灯２６のＮＧランプ２９を点灯する。このときは扉４が旋錠されたままであるので、入室することはできない。
【００２３】
このような入退室管理システム１は、通行可否設定テーブル１６に通行可能な区域を設定するとき、対象の区域３が実際の形状に類似した図形として表示されている画面を見ながら行えるので、間違いなく短時間で登録することができる。
また、１つの区域３を通行可否設定画面上で選択すると、それに関連するすべての通行グループの記号が表示されるので、同様な業務を行う人には同様なグループを簡単に設定することができる。
また、同時に複数の人の登録も行えるため、効率よく登録することができる。
【００２４】
実施の形態２．
図１１は、この発明の実施の形態２に係わる入退室管理装置の機能ブロック図である。図１２は、実施の形態２に係わる通行可否設定テーブルのデータ構造を示す図である。図１３は、実施の形態２に係わる通行時間帯グループテーブルのデータ構造を示す図である。図１４は、実施の形態２に係わる初期設定画面である。図１５は、実施の形態２に係わる通行グループ設定画面である。図１６は、実施の形態２に係わる通行可否設定画面である。
【００２５】
この発明の実施の形態２に係わる入退室管理システムは、実施の形態１に係わる入退室管理システム１に区域３だけではなく時間帯にも通行可否を設定されていることが異なっており、その他は同様であるので、同様な部分に同じ符号を付記して説明は省略する。
実施の形態２に係わる入退室管理装置６Ｂは、図１１に示すように、実施の形態１に係わる入退室管理装置６に時間帯に関する内容が追加され、通行可否判断手段１１Ｂ、設定制御手段１２Ｂ、通行可否設定テーブル１６Ｂおよびデータベース１７Ｂが異なっており、それ以外は同様であるので同様な部分に同じ符号を付記して説明は省略する。
【００２６】
実施の形態２に係わるデータベース１７Ｂに格納されている通行可否設定テーブル１６Ｂには、図１２に示すように、入退室が管理されている人の氏名、その人に割り当てられたＩＤ番号、その人が通行可能な通行グループ、通行可能な通行時間帯グループが設定されている。そして、個人識別制御装置８からＩＤ番号が入力されたとき、その個人識別制御装置８が管理している区域３を含む通行グループ、ＩＤ番号および入退室管理装置６Ｂの図示しない内部時計で計時された時刻を用いて通行可否設定テーブル１６Ｂを検索して、個人識別制御装置８に接続されている電気錠５の解錠の可否を判断する。
また、実施の形態２に係わるデータベース１７Ｂには、図１３に示すように、各通行時間帯グループとしてまとめられた時間帯が記憶されている通行時間帯グループテーブル５０が格納されている。
【００２７】
次に、通行時間帯グループの設定および通行可否の設定について説明する。なお、通行グループの設定は実施の形態１と同様であるので、説明は省略する。
実施の形態２に係わる設定制御手段１２Ｂは、初期選択画面、通行グループ設定画面、通行時間帯グループ設定画面および通行可否設定画面からなる４つの設定用画面を創成するための画像データを有している。
初期選択画面には、図１４に示すように、通行グループ設定アイコン３１、通行時間帯グループ設定アイコン５１および通行可否設定アイコン３２が表示されている。
通行時間帯グループ設定アイコン５１にカーソルをマウスにより重ね合わせてからマウスの左釦をクリックすると、画面に時間帯グループ設定画面が表示される。また、通行可否設定アイコン３２にカーソルをマウスにより重ね合わせてからマウスの左釦をクリックすると、画面に通行可否設定画面が表示される。
【００２８】
通行時間帯グループ設定画面には、図１５に示すように、１週間に亘る１時間毎の時間帯が表示されている。
また、通行時間帯グループ設定画面には、通行時間帯グループの記号を入力するコンボボックス５３および設定が完了したときに選択する完了釦アイコン５４が表示されている。
コンボボックス５３の右端の釦アイコン５５にカーソルを合わせると、現在設定されている通行時間帯グループの記号が時間帯グループ選択リストとして表示される。
【００２９】
この時間帯グループ選択リストの１つを選択すると、通行可能の時間帯の枠内の色が白から黒に変わる。また、コンボボックス５３に新たな通行時間帯グループの記号を入力したときは、時間帯の枠内の色は白のままとなっている。
そして、マウスによりカーソルを選択する時間帯の枠内に合わせてクリックすると、その枠内の色が白であった場合黒に、黒であった場合白に変わる。例えば、通行時間帯グループＨ０１を選択すると、図１５に示すように、月曜日から金曜日までの８時から１８時までの時間帯の枠内の色が黒に変わる。この操作を対象とする時間帯すべてに亘って行い、完了したら完了釦アイコン５４にカーソルを合わせてクリックして通行時間帯グループの設定を完了し、通行時間帯グループ設定画面から初期選択画面に戻る。このとき、設定したデータは、通行時間帯グループテーブル５０に記憶される。
【００３０】
初期選択画面の通行可否設定アイコン３２にマウスによりカーソルを合わせてマウスの左釦をクリックすると、画面は切り替わって通行可否設定画面が表示される。
通行可否設定画面には、区域３のフロアレイアウト図１３およびセキュリティレベルから創成されたビルの透視図と１週間に亘る１時間毎の時間帯とが図１６に示すように表示されている。以下の説明では区域３に関する内容は実施の形態１と同様であるので、説明は省略する。
また、通行可否設定画面には、登録する人の氏名およびその人に割り当てられているＩＤ番号を入力するコンボボックス３７と設定が完了したときに選択する完了釦アイコン３８が表示されている。コンボボックス３７の右端の釦アイコン４１にカーソルを合わせると、現在設定されている人のＩＤ番号が人選択リストとして表示される。
また、通行可否設定画面には、選択された区域を含む通行グループの記号が表示されるテキストボックス３９とその横に確認釦アイコン４０が表示されている。
また、通行可否設定画面には、選択された時間帯を含む通行時間帯グループの記号が表示される時間帯テキストボックス５６とその横に確認釦アイコン５７が表示されている。
【００３１】
新たに登録する人の氏名とＩＤ番号とをそれぞれのコンボボックス３７に入力するとすべての区域３の外形線は点線となり、時間帯の枠内の色は白となる。そして、設定者がある時間帯の枠内にカーソルを合わせてクリックすると、枠内の色が黒に変わるとともにその時間帯を含む通行時間帯グループが時間帯グループテーブル５０を検索することにより求められ、それが通行可否設定画面上の時間帯テキストボックス５６に表示される。設定者は、その通行時間帯グループの中から必要なものを選んで確認釦アイコン５７をクリックすると、その通行時間帯グループに含まれる通行可能時間帯の枠内の色が黒に変わる。
【００３２】
また、現時点で既に登録されている人の通行可能な時間帯を見直すときは、コンボボックス３７の右端の釦アイコン４１にカーソルを合わせると現時点で設定されている人の人選択リストが表示され、人選択リストの１人が選択されるとその人が通行可能な時間帯の枠内の色が黒に変わる。また、同時に、登録されている通行時間帯グループが表示される。
ここで、設定者が追加する時間帯または取り消す時間帯の枠内にカーソルを合わせてクリックすると、その時間帯の枠内の色が白であった場合黒に、黒であった場合白に変わる。
そして、設定制御手段１２Ｂは、選択された時間帯で通行時間帯グループテーブル５０を検索して通行時間帯グループを見つけて、通行可否設定画面に表示する。
【００３３】
それから、設定者は、通行可否設定画面に表示されている通行可能時間帯を確認して、完了アイコン３８にカーソルを合わせてマウスの左釦をクリックする。
このとき、設定制御手段１２Ｂは、通行可否設定テーブル１６Ｂに氏名、ＩＤ記号、選択された通行グループの記号および選択された通行時間帯グループの記号を記憶する。
【００３４】
このような入退室管理システムは、通行可否設定テーブル１６Ｂに通行可能な時間帯を設定するとき、対象の時間帯が線表として表示されている画面を見ながら時間帯の設定が行えるので、間違いを起こさずに短時間で登録することができる。
また、１つの時間帯を通行可否設定画面上で選択すると、それに関連するすべての通行時間帯グループの記号が表示されるので、同様な業務を行う人には同様なグループを簡単に設定することができる。
【００３５】
なお、実施の形態２では区域と時間帯との両方が満足するとき、解錠を許しているが、時間帯だけを条件として解錠の判断を行ってもよい。
【図面の簡単な説明】
【００３６】
【図１】この発明の実施の形態１に係わる入退室管理システムが備えられているビルの構成図である。
【図２】実施の形態１に係わる入退室管理装置の機能ブロック図である。
【図３】実施の形態１に係わる個人識別制御装置の機能ブロック図である。
【図４】実施の形態１に係わる個人識別制御装置の斜視図である。
【図５】実施の形態１に係わる区域テーブルのデータ構造を示す図である。
【図６】実施の形態１に係わる通行グループテーブルのデータ構造を示す図である。
【図７】実施の形態１に係わる通行可否設定テーブルのデータ構造を示す図である。
【図８】実施の形態１に係わる初期設定画面である。
【図９】実施の形態１に係わる通行グループ設定画面である。
【図１０】実施の形態１に係わる通行可否設定画面である。
【図１１】この発明の実施の形態２に係わる入退室管理装置の機能ブロック図である。
【図１２】実施の形態２に係わる通行可否設定テーブルのデータ構造を示す図である。
【図１３】実施の形態２に係わる通行時間帯グループテーブルのデータ構造を示す図である。
【図１４】実施の形態２に係わる初期設定画面である。
【図１５】実施の形態２に係わる通行グループ設定画面である。
【図１６】実施の形態２に係わる通行可否設定画面である。
【符号の説明】
【００３７】
１  入退室管理システム、２  ビル、３  区域、４  扉、５  電気錠、６  入退室管理装置、７  通信回線、８  個人識別制御装置、１１  通行可否判断手段、１２  設定制御手段、１３  フロアレイアウト図、１４  区域テーブル、１５  通行グループテーブル、１６  通行可否設定テーブル、１７  データベース、２１  カードリーダ、２２  送信部、２３  受信部、２４  電気錠制御部、２５  記憶部、２６  表示灯、２７  リーダヘッド、２８  ＯＫランプ、２９  ＮＧランプ、３１  通行グループ設定アイコン、３２  通行可否設定アイコン、３３  （区域の）記号、３４、３７、５３  コンボボックス、３５、３８、５４  完了釦アイコン、３６、４１、５５  釦アイコン、３９  テキストボックス、４０、５７  確認釦アイコン、５０  通行時間帯グループテーブル、５１  通行時間帯グループ設定アイコン、５６  時間帯テキストボックス。
【図１】
2007011718.tif 000003
【図２】
2007011718.tif 000004
【図３】
2007011718.tif 000005
【図４】
2007011718.tif 000006
【図５】
2007011718.tif 000007
【図６】
2007011718.tif 000008
【図７】
2007011718.tif 000009
【図８】
2007011718.tif 000010
【図９】
2007011718.tif 000011
【図１０】
2007011718.tif 000012
【図１１】
2007011718.tif 000013
【図１２】
2007011718.tif 000014
【図１３】
2007011718.tif 000015
【図１４】
2007011718.tif 000016
【図１５】
2007011718.tif 000017
【図１６】
2007011718.tif 000018